(57)【要約】      （修正有）【課題】ひざ掛け、うつ伏せ枕、首枕、ラップスカート、ポンチョ等の多用途に利用できるようにした多機能ケットを提供する。【解決手段】人の半身を包容できる程度の大きさの布材により長方形状に形成されたケット本体４を設け、該ケット本体４の長辺３ａ，３ｂを２等分し短辺２ａ，２ｂを４又は５等分する折り畳み線５ａ，５ｂを設け、該折り畳み線５ａ，５ｂによって区画されたケット本体４の長方形状の一角部領域６に重ねてその開口部８を長辺の内側にして収納ポケット７を縫着し、該収納ポケット７の中央側の短辺９ａに長尺のベルト１０の一端を縫着し該ベルト１０の他端側に雄バックル１１ａを取付けるとともに収納ポケット７の中央側短辺９ａの中央部に通過孔１３ａを形成し、収納ポケット７の外側の短辺９ｂに雌バックル１１ｂを固定した短尺のベルトを縫着するとともに収納ポケット７の外側短辺９ｂの中央部に通過孔１３ｂを形成する。【選択図】図１
0003195037.tif 000002
【実用新案登録請求の範囲】
【請求項１】
人の半身を包容できる程度の大きさの布材により長方形状に形成されたケット本体を設け、該ケット本体の長辺を２等分し短辺を４又は５等分する折り畳み線を設け、該折り畳み線によって区画されたケット本体の長方形状の一角部領域に重ねてその開口部を長辺の内側にして収納ポケットを縫着し、該収納ポケットの中央側の短辺に長尺のベルトの一端を縫着し該ベルトの他端側に雄バックルをベルト長さ調節可能に取付けるとともに収納ポケットの中央側短辺の中央部に長尺のベルトと雄バックルとを収納ポケットの内外に出し入れ可能な通過孔を形成し、収納ポケットの外側の短辺に雌バックルを固定した短尺のベルトを縫着するとともに収納ポケットの外側短辺の中央部に雌バックルを収納ポケットの内外に出し入れ可能な通過孔を形成したことを特徴とする多機能ケット。
【請求項２】
ケット本体は綿入れしてキルティング加工された生地により形成され、キルティング線を折り畳み線となした請求項１に記載の多機能ケット。
【請求項３】
ケット本体の一方の長辺の一端にボタンを設け、他端に該ボタンを止めるボタン止めを設けた請求項１又は２に記載の多機能ケット。
【請求項４】
収納ポケットの開口部に該開口部を閉じるボタンとボタン止めを設けた請求項１、２又は３に記載の多機能ケット。
【考案の詳細な説明】
【技術分野】
【０００１】
本考案は、ひざ掛け、うつ伏せ枕、首枕、ラップスカート、ポンチョ等の多用途に利用できる多機能ケットに関する。
【背景技術】
【０００２】
従来、座布団、布団、マット、寝袋等の各種の用途に活用できる多用途クッションとして、特許文献１には、防寒性を有する布材により長方形状に形成された布団、マットの部分と、布団、マットの部分の短辺にその開口部を短辺の内側にしてポケット状に縫着され、布団、マットの部分を畳んで収納する収納部とを具備し、布団、マット又は、寝袋として使用しない場合には布団、マットの部分を収納部を裏返して収納して、クッション、又は座布団を構成するようにし、それぞれの用途において、専用のクッション、座布団、布団、マット等のいずれの用途においても使用勝手が変わらず、またその外形や体裁も変わらない多用途クッションが開示されている。
【０００３】
しかし、このものは、座布団、布団、マット、寝袋等として活用するためのものであって、ひざ掛け、うつ伏せ枕、首枕、ラップスカート、ポンチョ等として活用することはできないものであった。
【先行技術文献】
【特許文献】
【０００４】
【特許文献１】特開２００４−３２１４１５号公報
【考案の概要】
【考案が解決しようとする課題】
【０００５】
そこで、本考案は、ひざ掛け、うつ伏せ枕、首枕、ラップスカート、ポンチョ等の多用途に利用できるようにした多機能ケットを提供することを目的とする。
【課題を解決するための手段】
【０００６】
上記の課題を解決するために、請求項１に係る考案は、人の半身を包容できる程度の大きさの布材により長方形状に形成されたケット本体を設け、該ケット本体の長辺を２等分し短辺を４又は５等分する折り畳み線を設け、該折り畳み線によって区画されたケット本体の長方形状の一角部領域に重ねてその開口部を長辺の内側にして収納ポケットを縫着し、該収納ポケットの中央側の短辺に長尺のベルトの一端を縫着し該ベルトの他端側に雄バックルをベルト長さ調節可能に取付けるとともに収納ポケットの中央側短辺の中央部に長尺のベルトと雄バックルとを収納ポケットの内外に出し入れ可能な通過孔を形成し、収納ポケットの外側の短辺に雌バックルを固定した短尺のベルトを縫着するとともに収納ポケットの外側短辺の中央部に雌バックルを収納ポケットの内外に出し入れ可能な通過孔を形成したこと、を特徴としている。
請求項２に係る考案は、ケット本体は綿入れしてキルティング加工された生地により形成され、キルティング線を折り畳み線となしたものである。
請求項３に係る考案は、ケット本体の一方の長辺の一端にボタンを設け、他端に該ボタンを止めるボタン止めを設けたものである。
請求項４に係る考案は、収納ポケットの開口部に該開口部を閉じるボタンとボタン止めを設けたものである。
【考案の効果】
【０００７】
請求項１に係る考案によれば、人の半身を包容できる程度の大きさの布材により長方形状に形成されたケット本体を設け、該ケット本体の長辺を２等分し短辺を４又は５等分する折り畳み線を設け、該折り畳み線によって区画されたケット本体の長方形状の一角部領域に重ねてその開口部を長辺の内側にして収納ポケットを縫着し、該収納ポケットの中央側の短辺に長尺のベルトの一端を縫着し該ベルトの他端側に雄バックルをベルト長さ調節可能に取付けるとともに収納ポケットの中央側短辺の中央部に長尺のベルトと雄バックルとを収納ポケットの内外に出し入れ可能な通過孔を形成し、収納ポケットの外側の短辺に雌バックルを固定した短尺のベルトを縫着するとともに収納ポケットの外側短辺の中央部に雌バックルを収納ポケットの内外に出し入れ可能な通過孔を形成したので、順次折り畳んだケット本体を収納ポケットを裏返して収納し、ベルトの長さを調節してバックルを係合することにより、うつ伏せ枕や首枕として使用できる。また、ケット本体を展開状態とし、バックルを通過孔を通して外部に露出させ、ケット本体を腰に合わせ、巻きつけてバックルで止め、ベルトの長さを調整することによりラップスカートとして使用できる。さらに、展開状態にあるケット本体をひざに掛けてひざ掛けとして使用することができる。
請求項２に係る考案によれば、ケット本体は綿入れしてキルティング加工された生地により形成されるので、適度な保温性を確保でき、折り畳まれたケット本体は適度な弾力を有しうつ伏せ枕や首枕として好適である。また、キルティング線を折り畳み線となしたので、別途、折り畳み線を設ける必要がない。
請求項３に係る考案によれば、ケット本体の一方の長辺の一端にボタンを設け、他端に該ボタンを止めるボタン止めを設けたので、展開状態にあるケット本体を背中に羽織り、ケット本体の一方の長辺の一端に設けたボタンを他端に設けたボタン止めに止めれば、ポンチョとして使用することができる。
請求項４に係る考案によれば、収納ポケットの開口部に該開口部を閉じるボタンとボタン止めを設けたので、折り畳んだケット本体を収納ポケットに収納した際にボタンをボタン止めに止めれば、折り畳んだケット本体が収納ポケットから脱落することがない。
【図面の簡単な説明】
【０００８】
【図１】本考案の実施例による多機能ケットの一部切欠き平面図である。
【図２】雄バックル部と雌バックル部の拡大平面図である。
【図３】本考案の実施例による多機能ケットを折り畳んで収納ポケットに収納する際の手順を示した説明図である。
【図４】うつ伏せ枕として使用する様子を示す斜視図である。
【図５】首枕として使用する様子を示す斜視図である。
【図６】ラップスカートとして使用する手順を示した説明図である。
【図７】ラップスカート、ポンチョとして使用する様子を示す斜視図である。
【図８】ひざ掛けとして使用する様子を示す斜視図である。
【考案を実施するための形態】
【０００９】
以下、本考案の実施例を図面に基づいて具体的に説明する。本考案の実施例による多機能ケット１は、綿入れしてキルティング加工された生地等により長方形状に形成されており、人の半身を包容する程度の大きさ、具体的には短辺２ａ，２ｂが７０ｃｍ、長辺３ａ，３ｂが１２０ｃｍとなっている。
ケット本体４には、その長辺３ａ，３ｂを２等分する折り畳み線５ａ、短辺２ａ，２ｂを５等分する折り畳み線５ｂがそれぞれ設けられている。この折り畳み線５ａ，５ｂがキルティング線となっている。従って、キルティング幅は、長辺が６０ｃｍ、短辺が１４ｃｍとなる。なお、図では折り畳み線５ｂは、短辺２ａ，２ｂを５等分するものを示しているが、４等分するようにしてもよい。
【００１０】
そして、図１において、ケット本体４がキルティング線５ａ，５ｂによって区画された横長長方形状の角部（右側最上部）の領域６に収納ポケット７をその開口部８が内側の長辺側となるように縫着する。収納ポケット７は横長の長方形状となっている。
【００１１】
収納ポケット７の左端側（中央側）短辺９ａの中央部には長尺のベルト１０の一端が縫着され、ベルト１０の他端側に雄バックル１１ａが長さ調節可能に取付けられている。収納ポケット７の右端側（外側）短辺９ｂの中央部には一端側に雌バックル１１ｂを固定した短尺のベルト１２の他端を縫着してある。バックル１１ａ，１１ｂ、バックルが取付けられたベルト１０，１２は、通常は収納ポケット７内に収納され、外部からは見えない。収納ポケット７を裏返すと、バックル１１ａ，１１ｂ、ベルト１０，１２が現れることになる。
雄バックル１１ａは雌バックル１１ｂに係脱可能となっている。なお、雄バックル１１ａの取付けられる長尺のベルト１０の長さは約３０ｃｍである。
【００１２】
細長い長方形状の収納ポケット７の中央側短辺９ａの中央部に長尺のベルト１０と雄バックル１１ａとを収納ポケット７の内外に出し入れ可能な通過孔１３ａを形成してある。また、収納ポケット７の外側短辺９ｂの中央部に雌バックル１１ｂを収納ポケット７の内外に出し入れ可能な通過孔１３ｂを形成してある。
また、開口部８の中央部には、収納ポケット７側にループ紐からなるボタン止め１４を縫着し、対応するケット本体４側には、ボタン１５を縫着してある。
【００１３】
ケット本体４の一方の長辺３ａの一端にはボタン１６を縫着してあり、他端にはボタン１６を止めるループ紐からなるボタン止め１７を縫着してある。
【００１４】
次に、本考案の実施例による多機能ケット１の使い方を説明する。首枕やうつ伏せ枕として使用する場合、収納ポケット７を下側（裏側）にしてケット本体４を展開状態とする（図３（ａ））。この展開状態にあるケット本体４を長辺３ａ，３ｂの中央部で短辺２ａ，２ｂに平行な折り畳み線（キルティング線）５ａに沿って長手方向に２つ折りする（図３（ａ）（ｂ）)。次いで、長辺３ａ，３ｂに平行な折り畳み線５ｂに沿って短手方向に順次折り畳んでいく（図３（ｂ）（ｃ））。収納ポケット７のボタン１５をボタン止め１４から外し、収納ポケット７を裏返して順次折り畳まれたケットを裏返された収納ポケット７内に収納し、再びボタン１５をボタン止め（ループ紐）１４に止める（図３（ｃ）（ｄ））。このとき、収納ポケット７内に収納されていた雌バックル１１ｂ、ベルト１０と雄バックル１１ａが外に露出する（図３（ｄ））。なお、この状態での寸法は、長さが約５５ｃｍ、直径が約１２ｃｍで円柱状の形態であった。次いで、２つに折って雌バックル１１ｂに雄バックル１１ａを係合させ、ベルト１０の長さを調節してうつ伏せ枕１８が完成する（図３（ｅ））。その使用状態は図４に示すようになる。
また、（図３（ｄ））に示す状態から首に巻いてベルト１０の長さを調節してバックル１１ａ，１１ｂで止めれば、首枕１９として使用することができる（図５）。
ケット本体４は綿入れしてキルティング加工されているので、うつ伏せ枕１８や首枕１９は適度な弾力を有し、快適に使用できる。
【００１５】
次に、本考案の実施例による多機能ケット１をラップスカート（巻きスカート）として使用する場合を説明する。先ず、ケット本体４を展開状態とし（図６（ａ））、収納ポケット７内に収納されている雌バックル１１ｂ、ベルト１０と雄バックル１１ａを通過孔１３ａ，１３ｂを通して収納ポケット７の外に露出させておく（図６（ｂ））。このとき、雄バックル１１ａの位置をベルト１０の他端側（図６（ｂ）において右側）へ移動させておく。図６（ｃ）に示すようにベルト１０が腰の中央部に位置するようにケット本体４を腰に合わせる。収納ポケット７のない方の半部を内側にして順次腰に巻きつける（図６（ｄ）（ｅ））。雌バックル１１ｂに雄バックル１１ａを係合させて止め（図６（ｆ））、ベルト１０の長さを調整し（図６（ｇ））、形を整えてラップスカート２０が完成する（図６（ｈ））。その使用状態は、図７（ａ）に示すようになる。
【００１６】
また、ポンチョとして使用する場合は、展開状態としたケット本体４をボタン１６とボタン止め１７のある長辺３ａ側を上側にして背中に羽織り、長辺の一端に設けたボタン１６を他端に設けたボタン止め１７に止めれば、ポンチョ２１として使用することができる（図７（ｂ））。
また、図８に示すように、ひざに掛けて用いれば、ひざ掛け２２としても使用することができる。これらポンチョ２１又はひざ掛け２２として使用する場合、ベルト１０，１２やバックル１１ａ，１１ｂは使用しないので、これらは収納ポケット７内に収納した状態とする。
ケット本体４は綿入れしてキルティング加工されているので、適度な保温性を有し、ラップスカート２０、ポンチョ２１、ひざ掛け２２として使用するのに好適である。
【００１７】
上記のように、本考案の多機能ケット１によれば、折り畳み線（キルティング線）５ａ，５ｂに沿って折り畳み裏返した収納ポケット７に収納してバックル１１ａ，１１ｂで止めることにより、うつ伏せ枕１８や首枕１９として使用でき、腰に巻いてバックル１１ａ，１１ｂで止めることによりラップスカート２０として使用でき、背中に羽織ってポンチョ２１としても使用でき、ひざに掛けてひざ掛け２２としても使用できる。このように、本考案による多機能ケット１は多用途に利用できるものである。
また、ケット本体４を折り畳み裏返した収納ポケット７に収納することにより、又は裏返した収納ポケット７に収納した後さらに２つに折ってバックル１１ａ，１１ｂで止めることにより、コンパクトにすることができる。
【符号の説明】
【００１８】
１  多機能ケット
２ａ，２ｂ  短辺
３ａ，３ｂ  長辺
４  ケット本体
５ａ，５ｂ  折り畳み線（キルティング線）
６  角部の領域
７  収納ポケット
８  開口部
９ａ，９ｂ  短辺
１０  長尺のベルト
１１ａ  雄バックル
１１ｂ  雌バックル
１２  短尺のベルト
１３ａ，１３ｂ  通過孔
１４，１７  ボタン止め（ループ紐）
１５，１６  ボタン
１８  うつ伏せ枕
１９  首枕
２０  ラップスカート（巻きスカート）
２１  ポンチョ
２２  ひざ掛け
【図１】
0003195037.tif 000003
【図２】
0003195037.tif 000004
【図３】
0003195037.tif 000005
【図４】
0003195037.tif 000006
【図５】
0003195037.tif 000007
【図６】
0003195037.tif 000008
【図７】
0003195037.tif 000009
【図８】
0003195037.tif 000010